(57)【特許請求の範囲】
【請求項１】
複数のセレクティブポーリング送信を実行する機能の有無を、ポーリング送信機からポーリング受信機へ通知する通信装置において、相手ポーリング送信機が、複数のセレクティブポーリング送信を実行する機能を有していれば、１通信の中で複数のセレクティブポーリング受信を実行し、相手ポーリング送信機が、複数のセレクティブポーリング送信を実行する機能を有していなければ、セレクティブポーリング受信が１通信終了する毎に呼を開放し、同一の宛先に自動発呼し、次のセレクティブポーリング受信を１通信実行するポーリング受信手段と；
ポーリング送信機が、複数のセレクティブポーリング送信を実行する機能を有している場合には、セレクティブポーリング受信中に、追加のセレクティブポーリング送信をユーザが指示できるように、ポーリング送信機へセレクティブポーリング送信を要求するときに、常に複数のセレクティブポーリング受信を実行することをポーリング送信機に通知する通知手段と；
を有することを特徴とする通信装置。
【請求項２】
複数のセレクティブポーリング送信を実行する機能の有無を、ポーリング送信機からポーリング受信機へ通知する通信方法において、相手ポーリング送信機が、複数のセレクティブポーリング送信を実行する機能を有していれば、１通信の中で複数のセレクティブポーリング受信を実行し、相手ポーリング送信機が、複数のセレクティブポーリング送信を実行する機能を有していなければ、セレクティブポーリング受信が１通信終了する毎に呼を開放し、同一の宛先に自動発呼し、次のセレクティブポーリング受信を１通信実行するポーリング受信段階と；
ポーリング送信機が、複数のセレクティブポーリング送信を実行する機能を有している場合には、セレクティブポーリング受信中に、追加のセレクティブポーリング送信をユーザが指示できるように、ポーリング送信機へセレクティブポーリング送信を要求するときに、常に複数のセレクティブポーリング受信を実行することをポーリング送信機に通知する通知段階と；
を有することを特徴とする通信方法。
【発明の詳細な説明】
【０００１】
【発明の属する技術分野】
本発明は、特にセレクティブポーリング通信可能なファクシミリ装置等の通信装置に関する。
【０００２】
【従来の技術】
従来のセレクティブポーリング通信は、ポーリング送信機側からポーリング受信機側へセレクティブポーリング通信機能ありを宣言し、ポーリング受信機側からポーリング送信機側へＤＴＣ信号、ＳＥＰ信号を送信し、ポーリング送信機側は、ＳＥＰ信号により指定された情報をポーリング送信していた。
【０００３】
【発明が解決しようとする課題】
しかしながら、上記従来例においては、複数のポーリング通信を実行できないという問題があった。
【０００４】
そこで１通信中に複数のポーリング通信を行うことを考えた場合、ポーリング受信を行うオペレータは、相手ポーリング送信機が１通信の中において複数のセレクティブポーリング通信をする機能があることを確認した後でなければ、複数のセレクティブポーリング通信を指定できず、極めて使い勝手が悪いものになることが予想される。
【０００５】
そこで本発明は、複数のセレクティブポーリング通信を容易な操作で行うことができる通信装置を提供することを目的とする。
【０００６】
【課題を解決するための手段】
本発明は、複数のセレクティブポーリング送信を実行する機能の有無を、ポーリング送信機からポーリング受信機へ通知する通信装置において、相手ポーリング送信機が、複数のセレクティブポーリング送信を実行する機能を有していれば、１通信の中で複数のセレクティブポーリング受信を実行し、相手ポーリング送信機が、複数のセレクティブポーリング送信を実行する機能を有していなければ、セレクティブポーリング受信が１通信終了する毎に呼を開放し、同一の宛先に自動発呼し、次のセレクティブポーリング受信を１通信実行するポーリング受信手段と、ポーリング送信機が、複数のセレクティブポーリング送信を実行する機能を有している場合には、セレクティブポーリング受信中に、追加のセレクティブポーリング送信をユーザが指示できるように、ポーリング送信機へセレクティブポーリング送信を要求するときに、常に複数のセレクティブポーリング受信を実行することをポーリング送信機に通知する通知手段とを有することを特徴とする通信装置である。
【０００７】
また、本発明は、複数のセレクティブポーリング送信を実行する機能の有無を、ポーリング送信機からポーリング受信機へ通知する通信方法において、相手ポーリング送信機が、複数のセレクティブポーリング送信を実行する機能を有していれば、１通信の中で複数のセレクティブポーリング受信を実行し、相手ポーリング送信機が、複数のセレクティブポーリング送信を実行する機能を有していなければ、セレクティブポーリング受信が１通信終了する毎に呼を開放し、同一の宛先に自動発呼し、次のセレクティブポーリング受信を１通信実行するポーリング受信段階と、ポーリング送信機が、複数のセレクティブポーリング送信を実行する機能を有している場合には、セレクティブポーリング受信中に、追加のセレクティブポーリング送信をユーザが指示できるように、ポーリング送信機へセレクティブポーリング送信を要求するときに、常に複数のセレクティブポーリング受信を実行することをポーリング送信機に通知する通知段階とを有することを特徴とする通信方法である。
【００１５】
【発明の実施の形態および実施例】
図１は、本発明の一実施例によるファクシミリ装置の構成を示すブロック図である。
【００１６】
ＮＣＵ（網制御装置）２は、電話網をデータ通信等に使用するために、その回線の端末に接続し、電話交換網の接続制御を行なったり、データ通信路への切換えを行なったり、ループの保持を行なうものである。また、ＮＣＵ２は、制御回路２０からの信号レベル（信号線２０ａ）が「０」であれば、電話回線２ａを電話機４側に接続し、信号レベルが「１」であれば、電話回線２ａをファクシミリ装置側に接続するものである。なお、通常状態では、電話回線２ａは、電話機４側に接続されている。
【００１７】
ハイブリッド回路６は、送信系の信号と受信系の信号とを分離し、加算回路１２からの送信信号をＮＣＵ２経由で、電話回線２ａに送出し、相手側からの信号をＮＣＵ２経由で受取り、信号線６ａ経由で、変復調器８に送るものである。
【００１８】
変復調器８は、ＩＴＵ−Ｔ勧告Ｖ．８、Ｖ．２１、Ｖ．２７ｔｅｒ、Ｖ．２９、Ｖ．１７、Ｖ．３４に基づいた変調、および復調を行なうものであり、信号線２０ｃにより、各伝送モードが指定される。この変復調器８は、信号線２０ｂに出力されている信号を入力し、変調データを信号線８ａに出力し、信号線６ａに出力されている受信信号を入力し、復調データを信号線８ｂに出力する。
【００１９】
ＡＮＳａｍ送出回路１０は、ＡＮＳａｍ信号を送出する回路であり、信号線２０ｄに信号レベル「１」の信号が出力されている時には、信号線１０ａにＡＮＳａｍ信号を送出し、信号線２０ｄに信号レベル「０」の信号が出力されている時には、信号線１０ａに何も信号を出力しない。
【００２０】
加算回路１２は、信号線８ａの情報と信号線１０ａの情報とを入力し、加算した結果を信号線１２ａに出力するものである。読取回路１４は、原稿の画像を読取り、この読取り画像データを信号線１４ａに出力するものである。記録回路１６は、信号線２０ｅに出力されている情報を順次１ライン毎に記録するものである。
【００２１】
メモリ回路１８は、読取りデータの生情報、あるいは、符号化した情報を格納したり、また、受信情報、あるいは、復号化した情報等を格納するために使用する。
【００２２】
発呼回路２２は、信号線２０ｇに発呼命令パルスが発生すると、信号線２０ｆに出力されている電話番号情報を入力し、信号線２ｂに選択信号を出力する。
【００２３】
操作部２４は、ワンタッチダイヤル、短縮ダイヤル、テンキー、＊／＃キー、ポーリング受信の文章番号の指定キー、セットキー、スタートキー、その他のファンクションキー等を有し、押下されたキー情報を信号線２４ａに出力するものである。
【００２４】
表示部２６は、信号線２０ｈに出力されている情報を入力して表示するＬＣＤ等である。
【００２５】
表示ランプ２８は、ポーリング受信の開始後に追加のポーリング受信の指定が可能なことを表わすランプであり、信号線２０ｉに信号レベル「１」の信号が出力されていると、このランプ２８が点灯し、信号線２０ｉに信号レベル「０」が出力されていると、このランプ２８が消灯する。
【００２６】
制御回路２０は、特に本実施例において、ポーリング送信機からポーリング受信機へ複数のセレクティブポーリング通信を実行する機能の有無を通知する制御を司るものである。
【００２７】
また、制御回路２０は、ポーリング受信機側において、複数のセレクティブポーリング通信が選択された場合、相手ポーリング送信機が複数のセレクティブポーリング通信を行う機能を有していれば、１通信の中で複数のセレクティブポーリング通信を実行し、相手ポーリング送信機が複数のセレクティブポーリング通信を行う機能を有していなければ１通信のセレクティブポーリング通信が終了する毎に呼を開放して再び同一宛先に自動発呼し、次の１通信のセレクティブポーリング通信を実行するという処理を行う。
【００２８】
すなわち、制御回路２０は、相手ポーリング送信機が複数のセレクティブポーリング通信を行う機能を有していなければ、指令されたセレクティブポーリング通信の数だけ自動発呼する処理を行う。
【００２９】
また、制御回路２０は、ポーリング受信機において、ポーリング送信機が複数のセレクティブポーリング通信を実行する機能ありの場合は、常に複数のセレクティブポーリング通信の実行の要求をしておき、ポーリング受信機側において通信が終了するまでは、複数のセレクティブポーリング通信の指定を行えるようにするための処理を行うものである。
【００３０】
図２〜図６は、本実施例における制御回路２０の制御の流れを示すフローチャートである。
【００３１】
図２において、Ｓ０で動作を開始し、Ｓ２では、信号線２０ａに信号レベル「０」の信号を出力してＣＭＬをオフする。また、Ｓ４では、信号線２０ｄに信号レベル「０」の信号を出力し、ＡＮＳａｍ信号を送信しない状態とする。また、Ｓ６では、信号線２０ｉに信号レベル「０」の信号を出力し、追加のポーリング受信の指定可能ランプ２８を消灯状態とする。
【００３２】
次に、Ｓ８では、信号線２４ａの情報を入力し、ポーリング受信が選択されたか否かを判断し、ポーリング受信が選択されていないとＳ１０に進み、その他の処理をしてＳ２に進む。
【００３３】
また、ポーリング受信が選択されるとＳ１２に進み、発呼回路２２を使用して指定された宛先へ発呼する。Ｓ１３では、信号線２０ａに信号レベル「１」の信号を出力してＣＭＬをオンする。
【００３４】
Ｓ１４では、信号線２０ｉに信号レベル「１」の信号を出力し、追加のポーリング受信の指定可能ランプ２８を点灯する。Ｓ１６では、タイマＴ１に３５秒をセットする。
【００３５】
次にＳ１８では、（ＣＳＩ）ＤＩＳ信号を受信したか否かを判断し、（ＣＳＩ）ＤＩＳ信号を受信していないとＳ２０に進み、（ＣＳＩ）ＤＩＳ信号を受信しているとＳ２４に進む。
【００３６】
Ｓ２０では、タイマＴ１がタイムオーバーしたか否かを判断し、タイムオーバーするとＳ２に進む。また、タイムオーバーしていないとＳ２２に進み、信号線２４ａの情報を入力し、複数のセレクティブポーリングが選択されたら、これを入力して記憶しておく。
【００３７】
そして、Ｓ２４では、セレクティブポーリングの番号を数えるためのカウンタｋに１をセットする。
【００３８】
次に、Ｓ２６では、ＤＩＳ信号のＦＩＦのｘビットより判断し、相手ポーリング送信機には複数のセレクティブポーリング通信機能を有しているか否かを判断し、この機能を有している場合にはＳ２８に進み、この機能を有していない場合にはＳ５２に進む。
【００３９】
次に、Ｓ２８では、（ＰＷＤｋ）ＳＥＰｋ、（ＣＩＧ）ＤＴＣ信号の送信を行う。ここでｋには、上述したカウンタｋの数字が入る。また、ＤＴＣ信号のＦＩＦのｘビットは１とし、１通信内での複数のセレクティブポーリング通信を要求する。具体的には、ポーリング送信機は、ＳＥＰ信号により指定された１つの情報伝送が終了後、ＥＯＳ（Ｅｎｄ  ｏｆ  Ｓｅｌｅｃｔｉｏｎ）信号の送信を要求する。なお、ここでも複数のセレクティブポーリングが選択されたら、これを入力して記憶しておく。
【００４０】
次に、Ｓ３０では、タイマＴ４に３秒をセットし、Ｓ３２では、（ＴＳＩ）ＤＣＳ信号を受信したか否かを判断し、（ＴＳＩ）ＤＣＳ信号を受信するとＳ４０に進み、（ＴＳＩ）ＤＣＳ信号を受信していないとＳ３４に進む。
【００４１】
Ｓ３４では、タイマＴ１がタイムオーバーしたか否かを判断し、タイムオーバーするとＳ２に進み、タイムオーバーしていないとＳ３６に進む。
【００４２】
Ｓ３６では、タイマＴ４がタイムオーバーしたか否かを判断し、タイムオーバーするとＳ２８に進み、タイムオーバーしていないとＳ３８に進み、複数のセレクティブポーリングが選択されたら、これを入力して記憶しておく。
【００４３】
また、Ｓ４０では、Ｔｒ・ＴＣＦ信号の受信を行い、次いでＣＦＲ信号の送信を行う。ここで、複数のセレクティブポーリングが選択されたら、これを入力して記憶しておく。
【００４４】
次にＳ４２では、ｋ番目の画信号のポーリング受信を行う。ここで複数のセレクティブポーリングが選択されたら、これを入力して記憶しておく。
【００４５】
さらに、Ｓ４４では、ＥＯＳ信号の受信を行う。ここで複数のセレクティブポーリングが選択されたら、これを入力して記憶しておく。
【００４６】
次に、Ｓ４６では、同一宛先からの異なるセレクティブポーリング受信が選択されたか否かを判断し、これが選択されて、まだ、セレクティブポーリング通信を行う場合にはＳ４８に進み、カウンタｋの値を１つインクリメントし、Ｓ２８に進む。また、選択されていないとＳ５０に進み、ＭＣＦ信号の送信を行い、Ｓ２に進む。
【００４７】
Ｓ５２では、（ＰＷＤ）ＳＥＰ、（ＣＩＧ）ＤＴＣ信号の送信を行う。ここで、ＤＴＣ信号のＦＩＦのｘビットは０とし、１通信内での複数のセレクティブポーリング通信を要求しない。具体的には、ポーリング送信機は、ＳＥＰ信号により指定された１つの情報伝送が終了後、ＥＯＳ信号の送信を要求せずに、ＥＯＰ信号の送信とする。ここで、複数のセレクティブポーリングが選択されたら、これを入力して記憶しておく。
【００４８】
次に、Ｓ５４では、タイマＴ４に３秒をセットする。そして、Ｓ５６では、（ＴＳＩ）ＤＣＳ信号を受信したか否かを判断し（ＴＳＩ）ＤＣＳ信号を受信するとＳ６２に進み、（ＴＳＩ）ＤＣＳ信号を受信していないとＳ５８に進む。
【００４９】
Ｓ５８では、タイマＴ１がタイムオーバーしたか否かを判断し、タイムオーバーするとＳ２に進み、タイムオーバーしていないとＳ６０に進む。
【００５０】
Ｓ６０では、タイマＴ４がタイムオーバーしたか否かを判断し、タイムオーバーするとＳ５２に進み、タイムオーバーしていないとＳ６１に進み、複数のセレクティブポーリングが選択されたら、これを入力して記憶しておく。
【００５１】
また、Ｓ６２では、Ｔｒ・ＴＣＦ信号を受信し、ＣＦＲ信号の送信を行う。ここで、複数のセレクティブポーリングが選択されたら、これを入力して記憶しておく。次に、Ｓ６４では、ｋ番目の画信号のポーリング受信を行う。ここで複数のセレクティブポーリングが選択されたら、これを入力して記憶しておく。
【００５２】
次に、Ｓ６６は、ＥＯＰ信号の受信を行う。ここで、複数のセレクティブポーリングが選択されたら、これを入力して記憶しておく。次に、Ｓ６８では、ＭＣＦ信号の送信を行う。ここで、複数のセレクティブポーリングが選択されたら、これを入力して記憶しておく。
【００５３】
次に、Ｓ７０では、信号線２０ａに信号レベル「０」の信号を出力してＣＭＬをオフし、Ｓ７２では、同一宛先からの異なるセレクティブポーリング受信が選択されたか否かを判断し、これが選択されて、まだ、セレクティブポーリング通信を行う場合にはＳ７４に進み、選択されていないとＳ２に進む。
【００５４】
Ｓ７４では、１０秒のウェイトを行う。そして、ここでも複数のセレクティブポーリングが選択されたら、これを入力して記憶しておく。
【００５５】
次に、Ｓ７６では、発呼回路２２を使用して同一宛先へ発呼し、Ｓ７７では、信号線２０ａに信号レベル「１」の信号を出力してＣＭＬをオンする。Ｓ７８では、タイマＴ１に３５秒をセットする。
【００５６】
Ｓ８０では、（ＣＳＩ）ＤＩＳ信号を受信したか否かを判断し、（ＣＳＩ）ＤＩＳ信号を受信するとＳ８２に進み、カウンタｋの値を１つインクリメントし、Ｓ５２に進む。
【００５７】
また、（ＣＳＩ）ＤＩＳ信号を受信していないとＳ８４に進み、タイマＴ１がタイムオーバーしたか否かを判断し、タイムオーバーするとＳ２に進み、タイムオーバーしていないとＳ８６に進み、複数のセレクティブポーリングが選択されたら、これを入力して記憶しておく。
【００５８】
以上のようにして、複数のセレクティブポーリング通信を容易な操作で行うことができる。なお、以上の実施例では、スタンドアローンタイプのファクシミリ装置を例に説明したが、本発明はこれに限らず、例えばファクシミリ機能を複写機やデータ通信機能と複合させた装置等に適用することも可能であり、また、本発明の機能をデータ通信に適用することも可能である。
【００５９】
【発明の効果】
本発明によれば、セレクティブポーリング受信を行うユーザが、ポーリング受信を開始した後に、同一宛先から他の情報のポーリング受信を追加で行うことが可能になり、装置の使い勝手を向上することができるという効果を奏する。
【図面の簡単な説明】
【図１】本発明の一実施例を示すブロック図である。
【図２】上記実施例の動作を示すフローチャートである。
【図３】上記実施例の動作を示すフローチャートである。
【図４】上記実施例の動作を示すフローチャートである。
【図５】上記実施例の動作を示すフローチャートである。
【図６】上記実施例の動作を示すフローチャートである。
【符号の説明】
２…ＮＣＵ、
４…電話機、
６…ハイブリッド回路、
８…変復調器、
１０…ＡＮＳａｍ送出回路、
１２…加算回路、
１４…読取回路、
１６…記録回路、
１８…メモリ回路、
２０…制御回路、
２２…発呼回路、
２４…操作部、
２６…表示部、
２８…表示ランプ。
【図１】
0003604862.tif 000002
【図２】
0003604862.tif 000003
【図３】
0003604862.tif 000004
【図４】
0003604862.tif 000005
【図５】
0003604862.tif 000006
【図６】
0003604862.tif 000007